【手続補正書】
【提出日】平成17年4月6日(2005.4.6)
【手続補正１】
【補正対象書類名】明細書
【補正対象項目名】全文
【補正方法】変更
【補正の内容】
【書類名】      明細書
【発明の名称】  飲料容器の中蓋
【特許請求の範囲】
【請求項１】  容器本体の端部に副容器を着脱可能に取り付けるための飲料容器の中蓋であって、容器本体の飲用口部分を有する端部を密閉する蓋となる面板を有し、容器本体の端部への着脱可能な取り付けのための嵌合部と、面板の各側面に有する中蓋を具備しており、中蓋は、板面に図柄を有するとともに、単体で中蓋を立てて置くための支持部を外周面に有していることを特徴とする飲料容器の中蓋。
【請求項２】  容器本体の端部は、円筒状の中間胴部よりも小径に絞られており、中蓋は、容器本体の中間胴部とほぼ等しい外径の環状部を有していて、その内側に、容器本体とも副容器とも嵌合可能な同形の嵌合部が設けられている請求項１記載の飲料容器の中蓋。
【請求項３】  副容器は、容器本体と一体の関係にある間は内部に景品類を収める容器となり、容器本体から景品類を取り出した後は飲用のためのコップとなる請求項１記載の飲料容器の中蓋。
【発明の詳細な説明】
【０００１】
【発明の属する技術分野】
本発明は、容器本体の端部に着脱可能に取り付けるための飲料容器の中蓋に関するものである。
【０００２】
【従来の技術】
例えば缶入り飲料として、飲料と共に付属物を一体にして市販しようとする方法は既に公知であり、発明、考案としては実開昭５１−９８２６７号や同５３−１５１８６５号等がある。両者は缶ビールや酒につまみ等を一体化したもので、自動販売機で取り扱う場合に便利である。その反面、付属物を一体にしただけでそれ以上のものではなく、却って付属物と飲料容器との間が埃の溜り場となるおそれがある。また従来の缶入り飲料は、缶に直かに口を付けて飲むものである。そのため時と場合によっては飲みにくく、といってストローも付属していないという問題がある。
【０００３】
【発明が解決しようとする課題】
本発明は前記の点に着目してなされたもので、その課題は、飲用まで汚れ等から容器及び飲料を保護する飲料容器の中蓋を提供することである。
【０００４】
【課題を解決するための手段】
前記の課題を解決するため本発明飲料容器の中蓋では、容器本体の飲用口部分を有する端部を密閉する蓋となる面板を有し、容器本体の端部への着脱可能な取り付けのための嵌合部と、面板の各側面に有する中蓋を具備しており、中蓋は、板面に図柄を有するとともに、単体で中蓋を立てて置くための支持部を外周面に有している。
【０００５】
【発明の実施の形態】
本発明に係る飲料容器の中蓋は、容器本体の端部に副容器を着脱可能に取り付けられるようにするものである。即ち副容器は、中蓋を１種のアダプターとして容器本体の端部に取り付けられる。取り付ける端部は、容器本体の飲用口部分を有する端部であり、この端部はプルトップと呼ばれる、引き手リングによってほぼ全面が除去される開口構造や、引き手によって一部だけが開口し引き手は缶側に残存する構造などを有し、この構造のために、引き手によって破断可能な形態を持ったアルミニウム合金類から成る薄板が容器本体胴部の端部に金属加工により取り付けられている。取り付け箇所はビード状の継ぎ目となってあらわれる。
【０００６】
本発明を構成する中蓋は、上記のような容器本体の飲用口部分のある、端部を密閉する蓋となる面板を有する。面板は蓋となる機能を有する以外にも景品としての機能を有することができる。そのための構成としては、面板にキャラクターやアイドルその他の写真等の図柄を彫刻し、プラスチック製の面板構成材を透視したときに彫刻の図柄が濃淡となってあらわれるものを適用することができる。図柄としては、上記のようなもの以外にも印刷されたシートや写真等を適用することができるが、その場合にはそれらの図柄シート類は面板に貼り付けることになる。
【０００７】
中蓋は、容器本体の端部への着脱可能な取り付けのための嵌合部と、副容器の着脱可能な取り付けのための嵌合部とを面板の各側面に有する。つまり、面板の一側面には容器本体の嵌合部が設けられ、他の一側面には副容器の嵌合部が設けられている。嵌合部は、相手部分と嵌まり合う形態を取り、容器本体側の相手部分は例えば前記したビード状の継ぎ目である。副容器側の相手部分も同様のビード状とすることにより、嵌合部の区別を無くし反転しても全く同様に扱うことが可能となる。
【０００８】
飲料容器は、内容量が例えば２５０ミリリットル、３５０ミリリットル或いは５００ミリリットルなどと一定の規格を有するので、本発明の場合には容器本体と副容器とを一体化したものの外形が上記の規格と一致するように作られる。容器本体の端部が、円筒状の中間胴部よりも絞られて小径になっている場合には、中間胴部の外径とほぼ等しい外径の環状部を設け、その内径を容器本体の絞られて小径になっている寸法に合わせて隙間を埋めるとともに、環状部の内側と面板とで構成される部分に前記の嵌合部を設けるようにする。
【０００９】
中蓋は、単体で立てて置くための支持部を外周面に有している。立てて置けることにより、中蓋の転がりが防止され、かつその面板に設けられている図柄を正しい位置や向きで観賞することが可能になる。故に、新しいキャラクターの正しい態勢が分かりにくい場合や、逆に奇抜な姿勢を表現したいときに図柄の位置や向きを特定する場合に有効である。さらに、支持部は中蓋を容器本体に着脱するときの指の支えにも利用され得る。
【００１０】
副容器は、容器本体に一体化している間、つまり使用前までは、内部に景品類を収める容器となり、容器本体から景品類を取り出した後は飲用のためのコップとなる。なお、容器本体に中蓋を介して、景品類を収めた副容器を取り付け、シュリンク包装等により要部を覆ったときには、盗飲防止やいたずらの防止がさらに有効になされる。
【００１１】
副容器の内部に収められる景品類はどのようなものでも良い。しかし本発明では中蓋に図柄を設けているのでその図柄と関係のある小物品とするのが最適であろう。
【００１２】
【実施例】
以下図示の実施例を参照して、本発明をより詳細に説明する。図１において、１１は金属製の容器本体、１２はその飲用口部分を示しており、容器本体１１の飲用口部分１２を設けた側は中間胴部１３よりも小径に絞られた端部となっていてそこにビード状の嵌合相手部１４が設けられている。
【００１３】
副容器１５は、容器本体１１に中蓋を介して一体に取り付けられるもので、容器本体１１とほぼ同径ないしはやや小径かつ短寸に設けられたプラスチック製のものである。副容器１５は開口縁の外周にビード状の嵌合相手部１６を有しており、その形態、寸法は容器本体１１の嵌合相手部１４と同じである。
【００１４】
副容器１５を容器本体１１に取り付け一体化する手段として本発明に係る中蓋１７が設けられている。中蓋１７は、容器本体１１の飲用口部分１２を有する端部を密閉する蓋となる面板１８を有し、その外周縁に環状部１９を有している。環状部１９は面板１８とＴ字交叉するように設けられており（図５参照）、面板１８の各側面に張り出した部分が、容器本体１１の端部への取り付けのための嵌合部２０と、副容器１５の取り付けのための嵌合部２０′とを構成している。
【００１５】
嵌合部２０、２０′は面板１８と環状部１９とで囲まれた部分であり、嵌合相手部１４、１６に嵌合させることにより、プラスチックの弾性によって容器本体１１及び副容器１５を固定的に取り付けておくことができるものであるが、さらに係止部２１として小さい突部を複数箇所、環状部１９の外寄りに設け脱落を防止することができる。係止部２１と面板１８との間は嵌合相手部１４、１６が入り込む箇所２２となる。
【００１６】
このような中蓋１７は、板面１８′に彫刻によって濃淡を表現した図柄２３を有しており、かつまたその図柄に適合した態勢で中蓋１７を立てて置くことができる支持部２４を環状部１９の外面に設けている。支持部２４は従って１箇所あれば良い。この支持部２４は中蓋１７を容器本体１１に着脱するときに指を支えるためにも使用可能であるが、その場合には滑り止めを設けることができる。
【００１７】
副容器１５は、容器本体１１と一体の関係にある間は内部に景品類２５を収める容器となっている。実施例の場合、中蓋１７の板面１８に設けた図柄２３がサッカー選手であり、そのため、景品類２５にはサッカーボール付きのキーホルダーが選ばれている。
【００１８】
このような本発明では、飲料容器１０は、容器本体１１の大きさは、副容器１５を有していない飲料容器Ｄの寸法に高さを合わせて形成されている（図２）。この状態から副容器１５を外しても、中蓋１７は依然容器本体１１の飲用口部分１２を有する端部を密閉しているから、飲用口部分１２が汚れるおそれはまだないので、飲料に手を付けなくても景品類２５を手にすることができる。中蓋１７を外すとその立体感のある図柄２３が目に入る。これは支持部２４を下にして立てることにより安定に鑑賞できる。さらに飲用口部分１２を開ければ、副容器１５をコップにして容器本体内の飲料を飲用可能な状態になる。
【００１９】
【発明の効果】
このように本発明に係る飲料容器の中蓋は、副容器を容器本体に一体化し、かつ中蓋が図柄を有していて立てて置くことができるために景品類として機能するという特徴を発揮するとともに、中蓋で取り付けられている副容器に収められる景品類と併せて興味深い物品を同時に入手することができるという楽しみがあり、かつ中蓋により容器本体の飲用口部分が密閉されているため防塵蓋として機能し、飲用口部分の汚れ等を防止し、また缶に直接、口を触れることなく中蓋をコップとして飲用することができる。
【図面の簡単な説明】
【図１】
本発明に係る飲料容器の中蓋の実施例を示す分解斜視図。
【図２】
他の飲料容器を併記した本発明の飲料容器の中蓋の縦断面図。
【図３】
中蓋の正面図。
【図４】
中蓋を立てた状態の斜視図。
【図５】
図３のＶ−Ｖ線断面図。
【符号の説明】
１０  副容器を有する飲料容器
１１  容器本体
１２  飲用口部分
１４、１６  嵌合相手部
１５  副容器
１７  中蓋
１８  面板
１９  環状部
２０、２０′  嵌合部
２３  図柄
２４  支持部
２５  景品類